(57)【特許請求の範囲】
【請求項１】
前部に開口を有する筐体と、前記開口を塞いで前記筐体に取り付けられる前扉と、前記前扉に設けられる照明装置とを備えたスロットマシンであって、
前記照明装置は、光を発する光源と、前記光源を覆うカバー部材とを有し、
前記カバー部材は、前記前扉における略四角枠状のフレームに前方を向いて取り付けられ、装飾するための外観を備えた外装部と、前記外装部の内部に嵌め込まれる内装部とを有し、
前記外装部は、前記光源が発する光を前方に通すシンボル部が形成される前面部と、前記前面部から後方に延びて前記光源を四方から囲む側壁部とを有し、前記外装部における前記シンボル部以外の部分の表面が、遮光性を有する仕上被膜で覆われて光を殆ど通さないように構成されており、
前記内装部は、前記光源が発する光を前方に通す開口部と、前記開口部の周囲に設けられ、前記開口部の周囲において前記光源からの光が前方に進むのを遮断する遮光部とを有していることを特徴とするスロットマシン。
【発明の詳細な説明】
【技術分野】
【０００１】
本発明は、光を発する光源と、この光源を覆うカバー部材とが設けられ、且つ、前記カバー部材の一部に光を通す透光部が形成されている照明装置を備えた遊技機に関する。
【背景技術】
【０００２】
従来から、外周面に複数種類の図柄が記された複数の回転リールを備え、これらの回転リールを回転させた後、遊技者に回転リールを停止させて図柄を揃えさせる遊技を行うスロットマシン等の遊技機が利用されている。
ここで、近年の遊技機は、遊技を行っている遊技者の気分を高揚させるために、様々な演出が行えるように形成され、これにより、遊技の興趣性の向上を図っている。
例えば、スロットマシンには、一般的に、遊技を演出する演出装置として、遊技の進行に伴って点灯動作又は点滅動作を行う照明装置が設けられている。
すなわち、スロットマシンは、前述の回転リールと、この回転リールを駆動する電動機とが組み合わされたリールユニット等の遊技用装置を収納するとともに前面が開口された筐体と、この筐体の前面の開口を塞ぐ前扉を備えたものとなっている。
【０００３】
そして、演出装置としての照明装置は、スロットマシンにおける目立つ部位、具体的には、前扉の前面上部に設けられることが多い。
このような照明装置としては、光を発する光源と、この光源を覆うとともにスロットマシンの装飾となる外観を有するカバー部材とを備え、且つ、光を通すとともに、何らかの情報を伝達可能な形状、例えば、文字等の形状に形成された透光部がカバー部材に形成されたものが知られている（例えば、特許文献１参照）。
このような照明装置を備えた遊技機によれば、何らかの情報を伝達可能な形状の透光部が光るので、丸や四角等の意味のない形状の部位を光らせるよりも、メッセージ性がより強い演出が行えるようになり、特定の演出、例えば、スロットマシンの内部で行われる抽選で当選したことを報知する報知演出等をより効果的に行うことができる。
【０００４】
ここで、透明な合成樹脂等の透光性を有する材質で、カバー部材の全体を形成し、透光部とならない部分の表面に、塗装被膜や蒸着被膜等の光を通しにくい被膜を形成すれば、透光部が複雑な形状のものでも、カバー部材の製作が容易となり、当該照明装置の製造コストの削減が図れるようになる。
【先行技術文献】
【特許文献】
【０００５】
【特許文献１】特開２００９−５０４５７号公報
【発明の概要】
【発明が解決しようとする課題】
【０００６】
前述のような遊技機では、照明装置の光源として、高輝度ＬＥＤ等の輝度の高い光源を採用すると、塗装被膜や蒸着被膜等の光を通しにくい被膜膜が形成されていても、光源が点灯されると、カバー部材の外部から当該被膜を通して光源の形が視認できる。このため、スロットマシンを装飾する部材であるカバー部材の装飾性が損なわれるうえ、情報を伝達可能な形状に形成された透光部だけでなく、前述の被膜を通して視認される光源にも遊技者の注意が注がれ、せっかくの演出が興醒めとなってしまい、演出の効果が損なわれる、という問題がある。
なお、輝度の高い光源が発する光をほぼ完全に遮断できる程度まで、塗装被膜や蒸着被膜等の被膜を厚くすれば、カバー部材の装飾性や演出効果が損なわれることはないが、成膜工程に要する時間が長くなり、カバー部材の製作に要するコストが高くなり、当該照明装置の製造コストの削減が図れなくなる、という問題が生じる。
【０００７】
そこで、各請求項にそれぞれ記載された各発明は、上記した従来の技術の有する問題点に鑑みてなされたものであり、その目的とするところは、輝度の高い光源を採用しても、照明装置の装飾性や演出効果が損なわれることがない遊技機を提供することである。
【課題を解決するための手段】
【０００８】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、前部に開口を有する筐体(２)と、前記開口を塞いで前記筐体(２)に取り付けられる前扉(３)と、前記前扉(３)に設けられる照明装置とを備えたスロットマシン(１)であって、前記照明装置は、光を発する光源(21)と、前記光源(21)を覆うカバー部材(22)とを有し、前記カバー部材(22)は、前記前扉(３)における略四角枠状のフレーム(8A)に前方を向いて取り付けられ、装飾するための外観を備えた外装部(25)と、前記外装部(25)の内部に嵌め込まれる内装部(26)とを有し、前記外装部(25)は、前記光源が発する光を前方に通すシンボル部(24)が形成される前面部(27A)と、前記前面部(27A)から後方に延びて前記光源を四方から囲む側壁部(27B)とを有し、前記外装部(25)における前記シンボル部(24)以外の部分の表面が、遮光性を有する仕上被膜で覆われて光を殆ど通さないように構成されており、前記内装部(26)は、前記光源(21)が発する光を前方に通す開口部(26A)と、前記開口部(26A)の周囲に設けられ、前記開口部(26A)の周囲において前記光源(21)からの光が前方に進むのを遮断する遮光部とを有していることを特徴とする。
【０００９】
以上において、前記仕上被膜としては、塗料の塗布により形成される塗装被膜、物理的成膜方法で表面に物理的に形成された金属被膜、化学的成膜方法で表面に化学的に形成された鍍金被膜、あるいは、塗装被膜、金属被膜及び鍍金被膜のうちの少なくとも二種類の被膜を重ねたものも採用できる。
また、物理的成膜方法で形成された金属被膜としては、真空蒸着法で形成された金属被膜、スパッタリング法で形成された金属被膜、及び、イオンプレーティング法で形成された金属被膜のいずれもが採用できるが、電気伝導性の小さい不連続蒸着による金属被膜を採用するのが好ましい。
【発明の効果】
【００１０】
（請求項１の効果）
以上のように構成されている本発明は、以下に記載されるような効果を奏する。
すなわち、請求項１記載の発明によれば、装飾用の外観を備えた外装部の内部に、光を遮断する内装部を嵌め込むようにしたので、仕上被膜で光源の光を完全に遮断する必要がないので、外装部の表面を覆う仕上被膜を形成するにあたり、仕上被膜を従来よりも厚いものとしなくても、カバー部材の透光部以外の部分を通じて点灯中の光源が視認されることがない。
従って、輝度の高い光源を採用しても、カバー部材の透光部以外の部分を通じて点灯中の光源が視認されることがなくなるので、照明装置の装飾性や演出効果が損なわれることがなく、これにより、前記目的が達成される。
【００１１】
また、内装部は、透光部となる開口の内部に透明レンズを嵌め込む必要がなく、内装部に開口を形成する際に、高い精度が不要となるので、透光部が複雑な形状のものでも、内装部の製造コストが高くなることもない。
そして、仕上被膜を従来よりも厚くする必要がないことから、外装部の製造コストが高くなることがなく、且つ、内装部の開口の形成に高い精度が不要となることから、光源の光を遮断する内装部の製造コストが高くなることがないので、カバー部材の製造コストが高くなることがなく、当該照明装置の製造コストの削減が図れる。
【図面の簡単な説明】
【００１２】
【図１】本発明の一実施形態の全体を示す正面図である。
【図２】前記実施形態に係る照明装置を示す正面図である。
【図３】図２のIII−III線における断面図である。
【図４】前記実施形態に係る照明装置を示す分解斜視図である。
【図５】前記実施形態に係るカバー部を示す分解斜視図である。
【発明を実施するための形態】
【００１３】
以下に、本発明を実施するための形態である一実施形態について、図面を参照しながら説明する。
（スロットマシン１の概略構成）
本実施形態に係る遊技機としてのスロットマシン１は、図１に示すように、三個の回転リール11の各々に記された複数種類の図柄が所定の組み合わせとなるように、回転している回転リール11を停止させる遊技を行うものである。また、スロットマシン１は、遊技媒体として金属製のメダルを採用したものであり、メダルの投入によって遊技を開始するように形成されている。
【００１４】
このようなスロットマシン１には、図１の如く、当該スロットマシン１の各種装置を収納するとともに、正面形状が長方形となった筐体２が備えられている。
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、上部パネル部４と下部パネル部５との間には、遊技に係る操作を行うための操作卓７が遊技者側に突出するように形成されている。
【００１５】
ここで、上部パネル部４及び下部パネル部５は、意匠的に優れた外観を確保するために、合成樹脂製の化粧板が表面に張り付けられたものとなっている。
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。なお、回転リール11の内部には、回転リール11を内側から照射する図示しないリール照明部が設けられている。
【００１６】
上部パネル部４の上端縁部分には、複数種類の演出用照明装置20,30,40と、液晶表示装置4Eとが組み合わされた演出ユニット８が設けられている。この演出ユニット８については、後で詳しく説明する。
また、上部パネル部４の両方の側縁には、その間に表示窓4Aを挟むようにして配置された一対の演出用照明装置4Dが設けられている。
この演出用照明装置4Dは、透明無色のレンズと、その内部に収納されるとともに、様々な発光色で点灯可能となっているフルカラー発光ダイオードとを備えたものである。そして、演出用照明装置4Dは、遊技の進行に応じて、発光色を様々に変化させながら、点灯又は点滅を行うことで、遊技における視覚的な演出効果を高めるようになっている。
【００１７】
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
メダル投入口7Bの左斜め下方には、三個の回転リール11のそれぞれを停止させる際に操作される三個のストップスイッチ7Dが設けられている。これら三個のストップスイッチ7Dのうち、左端に配置されているストップスイッチ7Dの左斜め上方には、後述するマックスベットスイッチ7Eが設けられている。
【００１８】
また、左端のストップスイッチ7Dの左方であって、マックスベットスイッチ7Eの左斜め下方の位置には、三個の回転リール11を一斉に回転させる際に操作されるスタートスイッチ7Fが設けられている。
マックスベットスイッチ7Eは、遊技者等が１回の押圧操作を行うと、一般的には、３枚のメダルをベットすることを命令する投入指令信号であるマックスベット信号を送出するものである。
換言すると、マックスベットスイッチ7Eは、１回の押圧操作でベットすることができる最大枚数（一般的には３枚）のメダルをベットするための投入スイッチである。
【００１９】
このようなマックスベットスイッチ7Eの図１中左方には、１枚ベットスイッチ7Gが設けられている。
１枚ベットスイッチ7Gは、遊技者等が１回の押圧操作を行うと、１枚のメダルをベットすることを命令する投入指令信号である１枚ベット信号を送出するものである。
換言すると、１枚ベットスイッチ7Gは、１回の押圧操作で１枚のメダルをベットするための投入スイッチである。
１枚ベットスイッチ7Gの図１中斜め左下方には、精算スイッチ7Hが設けられている。
この残りの精算スイッチ7Hは、遊技者等が押圧操作を行うと、貯留メダルの精算動作を実行すること、あるいは、ベットされたメダルを元に戻すことを命令する精算指令信号を送出するものである。
【００２０】
（下部パネル部５及び受皿ユニット６）
下部パネル部５には、スロットマシン１のモデルタイプを象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
（演出ユニット８）
次いで、上部パネル部４に設けられている演出ユニット８について説明する。
【００２１】
演出ユニット８は、図２に示すように、前述した演出用照明装置20,30,40の各々が、当該演出ユニット８における図２中上方の端縁中央位置、図２中左方端部位置、及び図２中右方端部位置のそれぞれに設けられ、これらの演出用照明装置20,30,40の間に囲まれるように、残りの液晶表示装置4Eが設けられたものである。
演出用照明装置30は、内部の光源の点灯時にのみ所定のメッセージを表示するように形成されたものである。
この演出用照明装置30には、メッセージが図２及び図３に示すように、全体が略円筒状に形成されるとともに、遊技者側に臨む正面の中央部分がドーム状に膨出した本体部31と、この本体部31の周辺に放射状に配置されているとともに、炎の色と形をモチーフに形成された複数の焔状部32とが設けられている。
【００２２】
このうち、本体部31は、中央部分が膨出したドーム状に形成されるとともに透明な材質からなる主カバー部材33と、この主カバー部材33が内部に嵌め込まれた円環状のベゼル状部材34とが組み合わされたものとなっている。
主カバー部材33は、特に図示していないが、高輝度ＬＥＤ等の光源を内部に収納しているとともに、メッセージが記されたメッセージ・シートが、その表面又は裏面に張り付けられたものとなっている。
そして、メッセージ・シートのメッセージは、光源の消灯時には、外部から視認できないが、裏側の光源を点灯すると、裏側からの照射光によって主カバー部材33の表面に浮かび上がって、その視認が可能となるように形成されている。
【００２３】
ベゼル状部材34は、三角形状に開口された複数の透光孔35が周方向に配列されたものであり、特に図示しないが、裏側に赤色のレンズが張り付けられるとともに、高輝度ＬＥＤ等の光源がレンズの裏側に配置されたものとなっている。
このようなベゼル状部材34は、内部の光源を点灯すると、複数の透光孔35を通じて赤色の光が外部へ放射されるようになっている。
演出用照明装置40は、図２の如く、演出ユニット８の角隅部分を把持する猛獣の前足を象ったものである。
更に詳しく説明すると、演出用照明装置40は、透明な合成樹脂で猛獣の前足の爪を象った複数の爪状レンズ41と、これらの爪状レンズ41の各々の内部に収納されるとともに、図示しない高輝度ＬＥＤ等の光源とを備え、光源の点灯で、爪状レンズ41が明るく輝くように形成されている。
【００２４】
液晶表示装置4Eは、精緻なフルカラー動画を含む様々な画像を遊技の演出用画像として表示することができる表示装置である。この液晶表示装置4Eは、図２中左右方向に延びる辺が上下方向に延びる辺よりも長い長方形に形成された画面を備えている。
（演出用照明装置20）
続いて、演出用照明装置20について更に詳しく説明する。
演出用照明装置20は、内部の光源の点灯によって、スロットマシン１のモデルタイプを象徴するキャラクターの名前を輝かせるものである。
すなわち、演出用照明装置20は、図３及び図４に示すように、光を発する高輝度ＬＥＤ等からなる複数の高輝度光源21と、図４に示すように、パネル5Aに描かれたキャラクターの名称等を表すシンボル文字（例えば、「王」の文字）を表示するネーム表示カバー部材22とを有するものとなっている。
【００２５】
なお、複数の高輝度光源21は、表面に電気伝導性を有する配線パターンが印刷されたプリント基板23に取り付けられている。
また、演出ユニット８は、図４の如く、四角枠状のフレーム8Aを備え、このフレーム8Aに、演出用照明装置20,30,40及び液晶表示装置4Eが取り付けられたものとなっている。このフレーム8Aには、複数の高輝度光源21が取り付けられたプリント基板23もネジ23A によって取り付けられている。
ネーム表示カバー部材22は、複数の高輝度光源21を覆うカバー部材であって、六角形に形成されている前面の一部に光を通す透光部24が形成されたものとなっている。
【００２６】
そして、ネーム表示カバー部材22の透光部24は、前述のシンボル文字の形状となっており、この透光部24としてのシンボル文字は、ネーム表示カバー部材22の内部の高輝度光源21が発光することによって輝くようになっている。
このようなネーム表示カバー部材22は、スロットマシン１を装飾するための外観を備えた外装部25と、この外装部25の内部に嵌め込まれるとともに、高輝度光源21が発する光を遮断するための内装部26とが組み合わされたものとなっている。
外装部25は、全体が透明な材質からなるとともに、透光部24以外の表面全体が下地の材質よりも遮光性を有する仕上被膜（図示略）で覆われたものとなっている。
【００２７】
換言すると、外装部25におけるシンボル文字（透光部24）に相当する部分は、透明な材質が外部に露出した部分となっている。これにより、シンボル文字（透光部24）は、透光性を有する部位となっている。
一方、外装部25の表側の面におけるシンボル文字（透光部24）以外の部分は、前述の仕上被膜に覆われ、これにより、光を殆ど通さない非透光部となっている。
具体的には、外装部25の透光部24が形成された前面部27A における透光部24以外の部分が仕上被膜に覆われるとともに、外装部25の筒状なった四つの側壁部27B の外側の面全体が仕上被膜に覆われている。これにより、前面部27A における透光部24以外の部分、及び、側壁部27B は、光を殆ど通さない非透光部となっている。
【００２８】
ここで、仕上被膜は、物理的成膜方法である真空蒸着法で表面に形成された金属被膜の一種である不連続蒸着膜となっている。この不連続蒸着膜からなる仕上被膜は、金属光沢を有し、膜自身が電気を伝導しない電気絶縁性を有する装飾膜となっている。
また、透光部24は、仕上被膜を真空蒸着法から形成するので、真空蒸着を行うにあたり、予め透光部24となる部分をマスクすることで、仕上被膜が形成されないようにした部位である。ここで、マスクは、複雑な形状のものでも印刷等で容易に形成できるので、透光部24についても、複雑な形状のものでも容易に形成可能となっている。
この仕上被膜は、光を完全に遮断するものではなく、輝度の高い光源、例えば、高輝度光源21が光を発すると、当該光を僅かに透過させるものである。換言すると、仕上被膜は、仕上被膜の外側が暗い場合、当該仕上被膜を通して高輝度光源21の形状をぼんやりと視認させる程度の透光性は有している。
【００２９】
外装部25の四つの側壁部27B のうち、図３中上下に配置された側壁部27B には、外装部25を演出ユニット８の四角枠状のフレーム8Aに仮止めするために、図３の如く、当該側壁部27B の端縁からフレーム8Aへ向かって突出しているとともに、フレーム8Aに形成された保持孔8C, 8Dに挿入される仮止め突起25A, 25B が設けられている。
仮止め突起25A, 25Bのうち、図３中上方に設けられている仮止め突起25A の先端には、フレーム8Aの内部に形成された段付部8Dに係止される爪部25C が設けられている。
また、外装部25は、図４に示すように、演出ユニット８のフレーム8Aに固定するために、図４中左右の両端部分からフレーム8Aへ向かって突出する筒状のボス25D が形成されたものとなっている。外装部25のボス25D は、フレーム8Aに形成されたネジ挿通孔8Eに挿通されるネジ8Fを螺合させるものとなっている。
【００３０】
この際、前面部27A の裏面28には、図５に示すように、その周縁に沿って形成されるとともに、全体が一つの平面となった額縁部28A と、この額縁部28A に囲まれているとともに、細かな凹凸が無数に形成されたシボ加工部28B とが設けられている。
シンボル文字（透光部24）は、その裏側に形成されたシボ加工部28B で高輝度光源21からの光が乱反射して散乱するので、特定の箇所が偏って強く輝くことがなく、ほぼ均一に輝くようになっている。
内装部26は、全体が光を遮断する材質、例えば、黒色の顔料で着色された合成樹脂で所定寸法以上の肉厚にされた筒状の部材である。この内装部26は、透光部となる部分が開口され、これにより、透光性を有する部位である透光開口部26A が形成されている。
【００３１】
この内装部26は、図３に示すように、外装部25の裏面28側を向いた端縁部26B の全体が額縁部28A の平面に密着するように形成されている。
また、内装部26の内側面における端縁部26B の近傍には、当該内側面から突出する鍔部26C が形成されている。
ここで、内装部26の端縁部26B と外装部25の額縁部28A との間に形成される隙間は、端縁部26B 及び額縁部28A が互いに密着しているので、その間隔は僅かな寸法となるうえ、端縁部26B の近傍に形成した鍔部26C によって、高輝度光源21の光が直接当たらない陰の部分となっている。
【００３２】
これにより、高輝度光源21の光が、直接、当該隙間の内部に入ることがないうえ、シボ加工部28B で乱反射した高輝度光源21の光も当該隙間を光に入ることがなく、従って、当該隙間から外装部25の外側へ光が漏れないようになっている。
前述のような本実施形態によれば、次のような効果が得られる。
すなわち、装飾用の外観を備えた外装部25の内部に、光を遮断する内装部26を嵌め込むようにしたので、仕上被膜で高輝度光源21の光を完全に遮断する必要がないので、外装部25の表面を覆う仕上被膜を形成するにあたり、仕上被膜を従来よりも厚いものとしなくても、ネーム表示カバー部材22の透光部24以外の部分を通じて、内部で点灯中の高輝度光源21が視認されることがない。
【００３３】
従って、輝度の高い高輝度光源21を採用しても、ネーム表示カバー部材22の透光部24以外の部分を通じて点灯中の高輝度光源21が視認されることがなくなるので、演出用照明装置20の装飾性や演出効果が損なわれることを未然に防止することができる。
また、内装部26は、透光部となる透光開口部26A の内部に透明レンズを嵌め込む必要がなく、内装部26に開口を形成する際に、高い精度が不要となるので、透光部24が複雑な形状のものでも、内装部26の製造コストが高くなることもない。
そして、仕上被膜を従来よりも厚くする必要がないことから、外装部25の製造コストが高くなることがなく、且つ、内装部26の開口の形成に高い精度が不要となることから、高輝度光源21の光を遮断する内装部26の製造コストが高くなることがないので、ネーム表示カバー部材22の製造コストが高くなることがなく、当該演出照明装置20の製造コストを削減することができる。
【００３４】
なお、本発明は、前記実施形態に限定されるものではなく、本発明の目的を達成できる範囲における変形及び改良などをも含むものである。
例えば、仕上被膜としては、不連続蒸着による金属被膜の一種である不連続蒸着膜に限らず、他の物理的成膜方法で形成された金属被膜、例えば、一般的な真空蒸着法で形成された金属被膜、スパッタリング法で形成された金属被膜、及び、イオンプレーティング法で形成された金属被膜等のいずれでもよい。
また、仕上被膜としては、物理的成膜方法で形成された金属被膜に限らず、塗料の塗布により形成される塗装被膜、化学的成膜方法で表面に化学的に形成された鍍金被膜、あるいは、塗装被膜、金属被膜及び鍍金被膜のうちの少なくとも二種類の被膜を重ねたものでもよい。
【００３５】
さらに、カバー部材の透光部としては、「王」等の文字の形状をしたものに限らず、例えば、動物や人物、あるいは、乗り物等の形状をしたものでもよい。
また、内装部としては、顔料で着色された合成樹脂製のものに限らず、金属製のものでもよく、要するに、光を遮断する材質から形成されていればよい。
さらに、遊技機としては、スロットマシンに限らず、パチンコ機等の弾球遊技機でもよく、本発明は、演出用の照明装置を備えた遊技機全般に適用できる。
【符号の説明】
【００３６】
1    遊技機としてのスロットマシン
20    照明装置としての演出用照明装置
21    光源としての高輝度光源
22    カバー部材としてのネーム表示カバー部材
24    透光部
25    外装部
26    内装部
26A   透光部となる部分である透光開口部
【図１】
0005500595.tif 000002
【図２】
0005500595.tif 000003
【図３】
0005500595.tif 000004
【図４】
0005500595.tif 000005
【図５】
0005500595.tif 000006